(57)【要約】【課題】カバーフィルムに納豆が付着せず且つ納豆が手に付着することなく、蓋付きの納豆収納容器からカバーフィルムを容易に剥がし取れるようにする。【解決手段】蓋付きの納豆収納容器１の内部に納豆Ｐを収納し、この納豆Ｐの上面をカバーフィルム３で被覆して成る納豆容器において、前記蓋体２あるいは納豆収納容器１に、閉蓋のままカバーフィルム３を引き出し可能とした引き出し部４を設ける。引き出し部４は、納豆収納容器１と蓋体２との端縁重合部にカバーフィルム３の一端を挟持し、該カバーフィルム３の一端を露出してカバーフィルム３自体を閉蓋のまま引き出し可能とするよう蓋体２あるいは納豆収納容器１の端縁に設けた切欠可能部（５）によって形成する。【選択図】図１
0003118740.tif 000002
【実用新案登録請求の範囲】
【請求項１】
蓋付きの納豆収納容器の内部に納豆を収納し、この納豆の上面をカバーフィルムで被覆して成る納豆容器において、前記蓋体あるいは納豆収納容器に、閉蓋のまま前記カバーフィルムを引き出し可能とした引き出し部を設けたことを特徴とする納豆容器。
【請求項２】
引き出し部は、納豆収納容器と蓋体との端縁重合部にカバーフィルムの一端を挟持させ、該カバーフィルムの一端を露出させてカバーフィルム自体を閉蓋のまま引き出し可能とするよう蓋体あるいは納豆収納容器の端縁に設けた切欠可能部によって形成されている請求項１記載の納豆容器。
【請求項３】
引き出し部は、蓋体のフランジ部を納豆収納容器に密着させた状態でカバーフィルムの端部もしくは中央部を引き出し可能とする連通孔によって形成されている請求項１記載の納豆容器。
【請求項４】
連通孔は、納豆収納容器の角部に形成されたＶ字形カット部と、Ｖ字形カット部下方に設けたカット用のミシン目とを備えて成る請求項３記載の納豆容器。
【請求項５】
連通孔は、蓋体に形成された孔部によって形成して成る請求項３記載の納豆容器。
【請求項６】
カバーフィルムの引き出し側には、引き出し部から露出するテープもしくは紐を付設した請求項１乃至６のいずれか記載の納豆容器。
【考案の詳細な説明】
【技術分野】
【０００１】
本考案は、蓋付きの納豆収納容器の内部に収納された納豆の上面をカバーフィルムで被覆して成る納豆容器に関する。
【背景技術】
【０００２】
従来、この種の納豆容器としては、例えば特許文献１に開示されているように、蓋部が煽り開閉可能となる容器部内部に収容された納豆を覆う保護フィルムを、蓋部の裏面における開口端近傍の縁部に付着したものがある。
【０００３】
また、特許文献２に開示されているように、水蒸気バリア性を有するトレー型容器に原料大豆を水に浸漬・蒸煮し、納豆菌を接種した原料大豆を充填してフィルムを被せてから別添調味料を入れた後に発酵させるものがある。
【０００４】
これらにおいて食する時、納豆容器から納豆を取り出す場合には、先ず開蓋して内部の調味料パックを取り出した後、カバーフィルムを摘み取るものである。
【特許文献１】特開２００５−２６９９０９号公報
【特許文献２】登録実用新案第３０２７０８２号公報
【考案の開示】
【考案が解決しようとする課題】
【０００５】
しかしながら、カバーフィルムを摘み取るに際し、当該カバーフィルムは粘性を有する納豆と接触しているため、カバーフィルム下面に納豆を付着させてしまい、カバーフィルムのみを完全に剥がし取ることは困難である。このため、箸を使ってカバーフィルムから納豆を一粒一粒摘み取るか、あるいは２本の箸でカバーフィルムを挟み、カバーフィルムに付着した納豆を掻き落とす等の作業を必要とする。従来はこのような面倒な作業を必要とする他に、納豆が手に付着して汚れてしまうという問題点を有していた。
【０００６】
そこで、本考案は、叙上のような従来存した諸事情に鑑み創出されたもので、カバーフィルムに納豆を付着させず且つ納豆が手に付着することなく、蓋付きの納豆収納容器からカバーフィルムを容易に剥がし取ることができる納豆容器を提供することを目的とする。
【課題を解決するための手段】
【０００７】
上述した課題を解決するため、本考案にあっては、蓋付きの納豆収納容器の内部に納豆を収納し、この納豆の上面をカバーフィルムで被覆して成る納豆容器において、前記蓋体あるいは納豆収納容器に、閉蓋のまま前記カバーフィルムを引き出し可能とした引き出し部を設けたことを特徴とする。
【０００８】
引き出し部は、納豆収納容器と蓋体との端縁重合部にカバーフィルムの一端を挟持させ、該カバーフィルムの一端を露出させてカバーフィルム自体を閉蓋のまま引き出し可能とするよう蓋体あるいは納豆収納容器の端縁に設けた例えばミシン目等による切欠可能部によって形成することができる。
【０００９】
引き出し部は、蓋体のフランジ部を納豆収納容器に密着させた状態でカバーフィルムの端部もしくは中央部を引き出し可能とする連通孔によって形成することができる。
【００１０】
連通孔は、納豆収納容器の角部に形成されたＶ字形カット部と、Ｖ字形カット部下方に設けたカット用のミシン目とを備えて形成したものとすることができる。
【００１１】
連通孔は、蓋体に形成された孔部によって形成したものとすることができる。
【００１２】
カバーフィルムの引き出し側には、引き出し部から露出するテープもしくは紐を付設したものとすることができる。
【考案の効果】
【００１３】
本考案によれば、カバーフィルムに納豆を付着させず且つ納豆が手に付着することなく、蓋付きの納豆収納容器からカバーフィルムを容易に剥がし取ることができる。
【００１４】
すなわち、本考案は、蓋付きの納豆収納容器の内部に納豆を収納し、この納豆の上面をカバーフィルムで被覆して成る納豆容器において、前記蓋体あるいは納豆収納容器に、閉蓋のまま前記カバーフィルムを引き出し可能とした引き出し部を設けたので、蓋体を開ける前に、手を汚すことなくカバーフィルムだけを閉蓋されている納豆収納容器から容易に引き出し除去することができ、従来のように箸を使ってカバーフィルムから納豆を一粒一粒摘み取るか、あるいは２本の箸でカバーフィルムを挟み、カバーフィルムに付着した納豆を掻き落とす等の面倒な作業が全く不要となる。
【００１５】
また、引き出し部は、納豆収納容器と蓋体との端縁重合部にカバーフィルムの一端を挟持させ、該カバーフィルムの一端を露出させてカバーフィルム自体を閉蓋のまま引き出し可能とするよう蓋体あるいは納豆収納容器の端縁に設けた切欠可能部によって形成されているので、納豆を食する時には、先ず切欠可能部を破断開放させカバーフィルムの一端を露出させてから当該カバーフィルムだけを引き出し除去することができ、蓋付きの納豆収納容器からカバーフィルムを容易に剥がし取ることができる。しかも、切欠可能部は食する前には、常に破断前の閉塞された状態であるため、衛生面において非常に有効なものとなる。
【００１６】
あるいは、引き出し部は、蓋体のフランジ部を納豆収納容器に密着させた状態でカバーフィルムの端部もしくは中央部を引き出し可能とする連通孔によって形成されているので、該連通孔を介してカバーフィルムのみを閉蓋されている納豆収納容器から容易に剥がし取ることができる。
【００１７】
連通孔は、納豆収納容器の角部に形成されたＶ字形カット部と、Ｖ字形カット部下方に設けたカット用のミシン目とを備えて成るので、納豆収納容器の角部のＶ字形カット部を介して、カバーフィルムのみを、閉蓋されている納豆収納容器から容易に剥がし取ることができる。
【００１８】
連通孔は、蓋体の中央に形成された孔部によって形成して成るので、蓋体の孔部を介して、カバーフィルムのみを、閉蓋されている納豆収納容器から容易に剥がし取ることができる。
【００１９】
カバーフィルムの引き出し側には、引き出し部から露出するテープもしくは紐を付設したので、カバーフィルムの引き出し操作がスムーズに行える。
【考案を実施するための最良の形態】
【００２０】
以下、図面を参照して本考案を実施するための最良の一形態を説明する。図において示される符号１は、例えばポリエステル、発泡スチロール等の熱可塑性合成樹脂によって形成された蓋付きの納豆収納容器であり、この内部に納豆Ｐを収納してからこの上面を透明なカバーフィルム３で被覆し、その上に調味料パックＱを載せてある。また、蓋体２は例えば煽り開閉方向に納豆収納容器１と一体に形成され、該蓋体２を閉めた状態でフランジ部を熱溶着等によって固定してある。
【００２１】
さらに、蓋体２には、図１に示すように、閉蓋のまま前記カバーフィルム３を引き出し可能とした引き出し部４を設けてある。すなわち、この引き出し部４は、納豆収納容器１と蓋体２との例えば角部におけるフランジ端縁重合部に、カバーフィルム３の一端角部に貼着された引出用テープ７の一部を挟持させておき、この引出用テープ７の挟持箇所に対応する蓋体２のフランジ部分をミシン目を介して破断可能に設けられた例えば矩形、Ｕ字形、Ｖ字形等の切欠可能部（５）によって形成してある。
【００２２】
そして、納豆Ｐを食する際には、この蓋体２の切欠可能部（５）を破断切除してカバーフィルム３の角部一端における引出用テープ７全体を露出開放させてから、蓋体２を閉蓋状態としたまま当該引出用テープ７を介してカバーフィルム３を引き出し可能とするようにしてある。
【００２３】
尚、この切欠可能部（５）は、引出用テープ７の挟持箇所に対応する納豆収納容器１のフランジ部分に設けられていても良い。また、引出用テープ７を使用する替わりに、カバーフィルムの一端角部に例えばループ状に紐８を貼着しても良い。さらには、矩形のカバーフィルム３の角部を利用して当該カバーフィルム３を引き出し可能とすることもできる。
【００２４】
次に、以上のように構成された最良の形態についての使用、動作の一例について説明する。
図２に示すように、先ず蓋体２の切欠可能部（５）を破断切除して、カバーフィルム３の角部一端における引出用テープ７全体を露出開放させておき、当該引出用テープ７を手指で引き出すことで蓋体２を閉蓋状態としたままでカバーフィルム３が引き出される。そして、蓋体２を開蓋して調味料パックＱを取り出し、納豆収納容器１内の納豆Ｐにふりかけ調味してから食すれば良い。
【００２５】
図３には、本形態の他例が示されている。
本例では、引き出し部４は、蓋体２のフランジ部を納豆収納容器１に密着させた状態でカバーフィルム３の端部を引き出し可能とする連通孔（６）によって形成されている。
【００２６】
すなわち、この連通孔（６）は、納豆収納容器１と蓋体２との例えば角部におけるフランジ端縁重合部において、当該納豆収納容器１側の角部に例えば浅目のＶ字形カット部を設け、このＶ字形カット部の下方にはカット用のミシン目を形成することで構成される。そして、この連通孔（６）に、カバーフィルム３の一端角部に貼着された引出用テープ７を露出させてある。
【００２７】
納豆Ｐを食する際は、この引出用テープ７を手指で引き出すことで蓋体２を閉蓋状態としたままでミシン目がカットされることで形成される連通孔（６）からカバーフィルム３が引き出される。この場合においても、引出用テープ７を使用する替わりに、カバーフィルム３の一端角部に例えばループ状に紐８を貼着しても、あるいはカバーフィルム３の一端角部自体を利用しても良いことは勿論である。
【００２８】
図４には、本形態の更に他例が示されている。
本例では、前記連通孔（６）を、納豆収納容器１内の納豆Ｐが容易に抜き出されない程度の小さな孔径を有する引出用孔部を蓋体２中央に穿設することによって形成してある。しかし、連通孔（６）の位置は蓋体２の中心部に限られるものではないことは勿論である。そして、この連通孔（６）に、カバーフィルム３の中央上面にループ状に貼着された引出用の紐８を露出させてある。納豆Ｐを食する際は、この引出用の紐８を手指で引き出すことで蓋体２を閉蓋状態としたままでカバーフィルム３が蓋体中央の引出用孔部から引き出される。
【００２９】
尚、この引出用の紐８を使用する替わりに、カバーフィルム３の中央上面に引出用テープ７を貼着しても、あるいはカバーフィルム３の一端角部自体を利用しても良いことは勿論である。こうして、カバーフィルム３に納豆Ｐを付着させず且つ納豆Ｐが手に付着することなく、蓋付きの納豆収納容器１からカバーフィルム３を容易に剥がし取ることができるのである。
【図面の簡単な説明】
【００３０】
【図１】本考案を実施するための最良の形態を示すもので、（ａ）はカバーフィルムをセットした状態の斜視図、（ｂ）はカバーフィルムをセットした状態の縦断面図である。
【図２】同じくカバーフィルムを引き出した状態を示すもので、（ａ）は一部切欠斜視図、（ｂ）は一部切欠縦断面図である。
【図３】本形態の他例を示すもので、カバーフィルムをセットした状態を角部側から見たときの側面図である。
【図４】本形態の更に他例を示すもので、（ａ）はカバーフィルムをセットした状態の斜視図、（ｂ）はカバーフィルムを引き出した状態の斜視図である。
【符号の説明】
【００３１】
Ｐ  納豆
Ｑ  調味料パック
１  納豆収納容器
２  蓋体
３  カバーフィルム
４  引き出し部
５  切欠可能部
６  連通孔
７  引出用テープ
８  紐
【図１】
0003118740.tif 000003
【図２】
0003118740.tif 000004
【図３】
0003118740.tif 000005
【図４】
0003118740.tif 000006